(57)【特許請求の範囲】
【請求項１】
便器本体と、
前記便器本体の後方上面に取付けられるベースプレートと、
前記ベースプレートに取付けられる洗浄水タンクと、
手洗い部を備え、前記洗浄水タンクの全体を覆うタンクカバーと、
前記手洗い部に設けられる吐水部と、
前記吐水部と前記吐水部に水を導く導水管とに接続され、前記導水管からの水を前記吐水部へ流通させる接続部材と、
前記導水管及び前記接続部材を支持する導水管支持部材と、を備えた便器洗浄装置であって、
前記タンクカバーは、一体的に成形されて構成され、
前記導水管支持部材は、前記洗浄水タンクの外側に着脱可能に取付けられる便器洗浄装置。
【請求項２】
前記導水管は、一端部が前記洗浄水タンクに接続され、他端部が前記接続部材に接続される継ぎ目のない連続した１本の管部材により構成される請求項１に記載の便器洗浄装置。
【請求項３】
前記導水管及び前記接続部材は、前記導水管支持部材に対して着脱自在である請求項１又は請求項２に記載の便器洗浄装置。
【請求項４】
吐水部が設けられた手洗い部を備え、便器本体の後方上面に取付けられるベースプレートに取付けられる洗浄水タンクを覆うタンクカバーを、前記洗浄水タンクの全体を覆うように被せる工程と、
前記タンクカバーの外部から、前記タンクカバーの前記手洗い部に吐水部を取付ける工程と、を備え、
前記タンクカバーとして、一体的に成形されて構成された前記タンクカバーを用い、
前記洗浄水タンクに前記タンクカバーを被せる工程の前に、前記洗浄水タンクに、前記吐水部と前記吐水部に水を導く導水管とに接続された接続部材であって、前記導水管からの水を前記吐水部へ流通させる接続部材と、前記導水管と、を前記洗浄水タンクの外側に取り付けられた導水管支持部材に支持させた状態とする工程を有する便器洗浄装置の施工方法。
【発明の詳細な説明】
【技術分野】
【０００１】
本発明は、便器洗浄装置及びその施工方法に関する。
【背景技術】
【０００２】
従来、便器を洗浄するための便器洗浄装置は、洗浄水タンクと、洗浄水タンクを覆うタンクカバーとを有している。洗浄水タンクは、便器本体の後方上面に取付けられる。タンクカバーは、洗浄水タンクの上方から洗浄水タンクを覆うようにして、設けられている。タンクカバーの上部は、手洗部を備えている。
【０００３】
手洗部には、吐水部が設けられている。また、タンクカバーの背部側には、中空のバックガードが設けられており、その内部は、洗浄水タンクからの給水系の配管スペースとして用いられている。バックガードの中に給水系に連通させた接続管が固定され、これに吐水部が連結される。吐水部は、接続管を介してタンクカバーに固定される（例えば、特許文献１参照）。
【０００４】
また、タンクカバーの背面には、開口部が形成され、開口部を覆う背面カバー体が設けられる。背面カバー体が開口部から取り外された状態とされて、吐水部には給水管が接続される。（例えば、特許文献２参照）。
【先行技術文献】
【特許文献】
【０００５】
【特許文献１】実開平５−３３８１号公報
【特許文献２】特開２０１１−２５６５２９号公報
【発明の概要】
【発明が解決しようとする課題】
【０００６】
上記公報記載の従来の便器洗浄装置においては、給水管からの水を吐水部から吐出可能とするために、タンクカバーの手洗部に吐水部を取り付け、開口部から手や治具を差し込み、給水管と吐水部とを接続することは容易である。しかし、タンクカバーをこれらとは異なる形状、例えば、ベースプレートの上方から洗浄水タンクを覆うように被せる形状であって、洗浄水タンクがタンクカバーによって覆われて洗浄水タンクに対して固定された状態とされることにより、タンクカバーの外部からの、タンクカバーの内部の部材へのアクセスを不能とする形状とする場合には、上記公報記載の構成では、手や治具をタンクカバーの内部へ差し込むこと等ができないため、吐水部と給水管とを容易に接続することができない。
【０００７】
本発明は、上記に鑑みてなされたものであり、その目的は、タンクカバーの外部からの、タンクカバーの内部の部材へのアクセスを不能とする形状を有する場合であってもタンクカバーをベースプレートの上方から洗浄水タンクを覆うように被せる際に、吐水部と、吐水部へ水を供給する給水のための部材とを容易に接続できる便器洗浄装置及びその施工方法を提供することにある。
【課題を解決するための手段】
【０００８】
上記目的を達成するため本発明は、便器本体（例えば、後述の便器本体１１）と、前記便器本体の後方上面に取付けられるベースプレート（例えば、後述のベースプレート２０）と、前記ベースプレートに取付けられる洗浄水タンク（例えば、後述の洗浄水タンク３０）と、手洗い部（例えば、後述の手洗い部４０）を備え、前記洗浄水タンクを覆うタンクカバー（例えば、後述のタンクカバー５０）と、前記手洗い部に設けられる吐水部（例えば、後述の手洗い吐水管４２）と、前記吐水部と前記吐水部に水を導く導水管（例えば、後述の手洗い側給水管３３）とに接続され、前記導水管からの水を前記吐水部へ流通させる接続部材（例えば、後述の接続部材３８）と、前記導水管及び前記接続部材を支持する導水管支持部材（例えば、後述の導水管支持部材３４）と、を備えた便器洗浄装置（例えば、後述の便器洗浄装置１００）であって、前記タンクカバーは、上部と下部とに分かれておらず上下一体で構成され、前記導水管支持部材は、前記洗浄水タンクに着脱可能に取付けられる便器洗浄装置を提供する。
【０００９】
前記導水管は、一端部が前記洗浄水タンクに接続され、他端部が前記接続部材に接続される継ぎ目のない連続した１本の管部材により構成されることが好ましい。
【００１０】
前記導水管及び前記接続部材は、前記導水管支持部材に対して着脱自在であることが好ましい。
【００１１】
本発明は、吐水部（例えば、後述の手洗い吐水管４２）が設けられた手洗い部（例えば、後述の手洗い部４０）を備え、便器本体（例えば、後述の便器本体１１）の後方上面に取付けられるベースプレート（例えば、後述のベースプレート２０）に取付けられる洗浄水タンク（例えば、後述の洗浄水タンク３０）を覆うタンクカバー（例えば、後述の洗浄水タンク３０）を、前記洗浄水タンクに被せる工程と、前記タンクカバーの外部から、前記タンクカバーの前記手洗い部に吐水部を取付ける工程と、を備え、前記タンクカバーとして、上部と下部とに分かれておらず上下一体で構成された前記タンクカバーを用い、前記洗浄水タンクに前記タンクカバーを被せる工程の前に、前記洗浄水タンクに、前記吐水部と前記吐水部に水を導く導水管（例えば、後述の手洗い側給水管３３）とに接続された接続部材（例えば、後述の接続部材３８）であって、前記導水管からの水を前記吐水部へ流通させる接続部材と、前記導水管と、を支持させた状態とする工程を有する便器洗浄装置の施工方法を提供する。
【発明の効果】
【００１２】
本発明によれば、タンクカバーの外部からの、タンクカバーの内部の部材へのアクセスを不能とする形状を有する場合であってもタンクカバーをベースプレートの上方から洗浄水タンクを覆うように被せる際に、吐水部と、吐水部へ水を供給する給水のための部材とを容易に接続できる便器洗浄装置及びその施工方法を提供できる。
【図面の簡単な説明】
【００１３】
【図１】本発明の一実施形態に係る便器洗浄装置１００の斜視図である。
【図２】本発明の一実施形態に係る便器洗浄装置１００の分解斜視図である。
【図３】上記実施形態に係る便器洗浄装置１００のベースプレート２０を示す斜視図である。
【図４】上記実施形態に係る便器洗浄装置１００のタンクカバー５０を示す背面図である。
【図５】上記実施形態に係る便器洗浄装置１００のタンクカバー５０の内部を示す下方斜視図である。
【図６】上記実施形態に係る便器洗浄装置１００の導水管支持部材３４を示す斜視図である。
【図７】上記実施形態に係る便器洗浄装置１００の接続部材３８を示す側面図である。
【図８】上記実施形態に係る便器洗浄装置１００の導水管支持部材３４に接続部材３８が支持されている様子を示す斜視図である。
【図９】上記実施形態に係る便器洗浄装置１００の導水管支持部材３４が洗浄水タンク３０のタンク本体３１に固定されている様子を示す斜視図である。
【図１０】上記実施形態に係る便器洗浄装置１００の導水管支持部材３４の、挟持部３４１を示す後方斜視図である。
【図１１】上記実施形態に係る便器洗浄装置１００の導水管支持部材３４の、挟持部３４１を示す前方斜視図である。
【図１２】上記実施形態に係る便器洗浄装置１００の手洗い吐水管４２と導水管支持部材３４との位置関係を示す正面図である。
【図１３】上記実施形態に係る便器洗浄装置１００の吐水管クリップ４４を示す正面図である。
【図１４】上記実施形態に係る便器洗浄装置１００の吐水管固定部４３を示す下方斜視図である。
【図１５】上記実施形態に係る便器洗浄装置１００の吐水管固定部４３を示す側方斜視図である。
【図１６】上記実施形態に係る便器洗浄装置１００の吐水管固定部４３をタンクカバー５０に接続する様子を示す拡大断面図である。
【図１７】上記実施形態に係る便器洗浄装置１００の吐水管固定部４３に手洗い吐水管４２の吐水管導水部４２１が挿入された様子を示す拡大断面図である。
【図１８】上記実施形態に係る便器洗浄装置１００の吐水管固定部４３に手洗い吐水管４２の吐水管導水部４２１が挿入された様子を示す要部拡大断面図である。
【発明を実施するための形態】
【００１４】
以下、本発明の便器洗浄装置１００の好ましい一実施形態について、図面を参照しながら説明する。まず、本発明の一実施形態に係る便器洗浄装置１００の全体構成について、図１及び図２を参照しながら説明する。図１は、本発明の一実施形態に係る便器洗浄装置１００の斜視図である。図２は、本発明の一実施形態に係る便器洗浄装置１００の分解斜視図である。
【００１５】
本実施形態の便器洗浄装置１００は、図１及び図２に示すように、便器１０と、ベースプレート２０と、洗浄水タンク３０と、手洗い部４０と、タンクカバー５０と、給水部６０と、操作ダイヤル部７１を有する流動操作機構７０と、を備える。
【００１６】
便器１０は、便器本体１１と、この便器本体１１の上部に便器本体１１に対して開閉可能に取り付けられる便座１２及び便蓋１３と、を含んで構成される。
【００１７】
ベースプレート２０は、便器本体１１の後方の上面に取り付けられる。ベースプレート２０の上方には、洗浄水タンク３０が配置される。
ベースプレート２０には、図２に示すように、後述する流動操作機構７０の操作ダイヤル部７１が取り付けられている。操作ダイヤル部７１は、後述する給水部６０から洗浄水を洗浄水タンク３０に給水する給水流路部（図示せず）を流通する水の流れを調整する操作を行うことができる。洗浄水タンク３０への水の供給が停止している場合においても、操作ダイヤル部７１を操作することにより給水流路部に少量の水を流通させることができる。これにより、例えば、寒冷地等の冬季に給水部６０の凍結のおそれがある地域において、少量の水を給水流路部に連続的に流通させて、給水部６０の凍結を防ぐことができる。なお、便器洗浄装置１００は、流動操作機構７０を有していなくてもよい。
【００１８】
洗浄水タンク３０は、ベースプレート２０の上方において、便器１０の後方かつ上方に配置され、ベースプレート２０に取り付けられており、便器本体１１を洗浄する洗浄水を貯留する。この洗浄水タンク３０は、図２に示すように、上面が開口したタンク本体３１と、このタンク本体３１の上面に配置され、タンク本体３１の上面を覆う蓋部３２と、を備える。
【００１９】
以上の洗浄水タンク３０の内部には、図２に示すように、給水部６０が配置される。洗浄水タンク３０には、給水部６０を介して洗浄水が供給される。
また、タンク本体３１の下部には、フロート弁（図示せず）により開閉される排水口（図示せず）が形成されている。そして、フロート弁を引き上げて排水口を開放することにより、タンク本体３１の内部に貯留された洗浄水が排水口から流出して便器１０に供給され、便器本体１１が洗浄される。
【００２０】
手洗い部４０は、洗浄水タンク３０の上方に配置される。手洗い部４０は、手洗いボウル部４１と、手洗い吐水管４２と、吐水管固定部４３と、吐水管クリップ４４と、を備える。
【００２１】
手洗いボウル部４１は、タンクカバー５０における上部カバー部５１（後述）の一部により構成される。手洗いボウル部４１は、手洗い吐水管４２から吐出される手洗い水を受ける。この手洗いボウル部４１の底部には、排水口（図示せず）が形成されている。
【００２２】
手洗い吐水管４２は、手洗いボウル部４１の背部側の前面から前方に突出するように配置される。この手洗い吐水管４２の先端部は、下方に開口している。
手洗い吐水管４２は、基端部が手洗いボウル部４１の背部側の前面に形成された吐水管取付穴４１ａに固定された吐水管固定部４３に取り付けられた状態で、吐水管クリップ４４により固定される。
【００２３】
以上の手洗い部４０には、洗浄水タンク３０に供給される洗浄水の一部が、手洗い側給水管３３を介して手洗い吐水管４２に供給される。これにより、給水部６０の動作により洗浄水タンク３０に洗浄水が貯留される場合に、この貯留される洗浄水の一部が手洗い吐水管４２から吐出される。
また、手洗い部４０から排出される排水は、手洗い側排水管（不図示）を介して洗浄水タンク３０に排出される。
【００２４】
タンクカバー５０は、上部カバー部５１と、下部カバー部５２と、を有する。タンクカバー５０は、上部カバー部５１と下部カバー部５２とが、上部と下部とに分かれておらず、例えば、樹脂材料により一体的に成形されることで、上下一体で構成されて形成される。従って、タンクカバー５０においては、例えば、上部カバー部５１から下部カバー部５２が分離する等のように、分離可能な複数の部材から構成されてはいない。
【００２５】
上部カバー部５１は、手洗い部４０の手洗いボウル部４１を含んで構成される。上部カバー部５１は、タンクカバー５０の上部に配置され、タンクカバー５０の上部を塞ぐように形成される。
下部カバー部５２は、方形筒状に形成される。下部カバー部５２は、洗浄水タンク３０の周囲を囲むように形成される。
【００２６】
洗浄水タンク３０にタンクカバー５０を被せる場合には、図２に示すように、ベースプレート２０の上部に洗浄水タンク３０を配置して、ベースプレート２０に操作ダイヤル部７１を取り付ける。
この状態で、洗浄水タンク３０を覆うように、タンクカバー５０を洗浄水タンク３０に被せて、タンクカバー５０の下端部をベースプレート２０に取り付ける。
そして、手洗いボウル部４１の吐水管取付穴４１ａに吐水管固定部４３を取り付けると共に、吐水管固定部４３に手洗い吐水管４２を取り付ける。その後、吐水管クリップ４４を用いて、手洗い吐水管４２を吐水管固定部４３に固定する。また、タンクカバー５０の一方の側部において、タンクカバー５０の外部から洗浄操作レバーハンドル８１を洗浄操作部８２に取り付ける。
このようにして、図１に示すように、タンクカバー５０は、洗浄水タンク３０を覆うように、洗浄水タンク３０に被せられる。
【００２７】
次に、各部について詳細に説明する。以下の説明においては、洗浄水タンク３０から便器１０へと向う方向（図１の右下方向）を前方向とし、その反対方向を後方向とし、これらを前後方向と定義する。また、下部カバー部５２から上部カバー部５１へと向う方向を（図１の上方向）を上方向とし、その反対方向を下方向とし、これらを上下方向と定義する。また、タンクカバー５０の側面であって洗浄操作レバーハンドル８１が付いていない側から洗浄操作レバーハンドル８１が付いている側へと向う方向を（図１の左下方向）を左方向とし、その反対方向を右方向とし、これらを左右方向と定義する。
【００２８】
図３に示すように、ベースプレート２０は、底板部２１と、周壁２２と、ガイド部２３と、を有している。図３は、本実施形態に係る便器洗浄装置１００のベースプレート２０を示す斜視図である。底板部２１は、略長方形状の板状を有しており、中央部に円形の貫通孔２１１が形成されている。また、底板部２１の上面には、洗浄水タンク３０をベースプレート２０に対して固定するための凸部２１２が、複数形成されている。周壁２２は、ベースプレート２０の周縁から上方向かって延びるとともに、ベースプレート２０の周囲を全周にわたって取り囲むように存在している。また、周壁２２と底板部２１とに跨るように、リブ２２１が設けられている。リブ２２１は、周壁２２と底板部２１とに一体的に成形されて形成されており、底板部２１の周縁に沿った方向から見たときに、略三角形状の板状を有している。底板部２１の四隅には、底板部２１の上面に沿った方向において周壁２２よりも外方に突出する所定位置決め凸部２１３が設けられている。所定位置決め凸部２１３は、底板部２１の四隅の湾曲した形状に沿った形状を有して僅かに外方へ突出している。
【００２９】
ガイド部２３は、略長方形状の底板部２１の前後方向に延びる一対の短辺の前端の両方の角部と、前後方向に延びる一対の短辺の途中の部分（中央部の部分）とに位置して、計４つ設けられている。ガイド部２３は、平面視でコの字形状を有しており、コの字の開口部分は、底板部２１の前側の２つの角部に位置するガイド部２３においては、略長方形状の底板部２１の長辺及び短辺に対して、４５°の角度をなす方向であって、底板部２１の外方へ開口している。また、前後方向に延びる短辺の中央部に位置するガイド部２３においては、コの字の開口部分は、当該短辺に直交する方向へ開口している。
【００３０】
より具体的には、ガイド部２３は、略台形状を有する同一形状の一対の横側壁部２３１と、長方形状の奥側壁部２３２と、を有しており、一対の横側壁部２３１の奥側の側端縁同士が奥側壁部２３２に一体的に成形されて接続されている。一対の横側壁部２３１、奥側壁部２３２は、底板部２１から上方へ向かって延びており、周壁２２よりも上方に突出している。従って、ガイド部２３は、ベースプレート２０から上方へ立ち上がる周壁２２から上方へ突出している。
【００３１】
ガイド部２３においては、奥側壁部２３２の上端が最も高い位置にあり、奥側壁部２３２の上端から横側壁部２３１の上端に沿って、底板部２１の上面に平行に底板部２１の外方へ向かうにつれて、徐々に下方へ延びる傾斜面２３５が、奥側壁部２３２の上端、及び、横側壁部２３１の上端によって形成されている。そして傾斜面２３５は、弧状に湾曲し、横側壁部２３１の側端縁に接続されている。そして横側壁部２３１の側端縁は、底板部２１の上面に平行に底板部２１の外方へ向かうにつれて、急激に下方へ延びる傾斜面２３６により構成されている。横側壁部２３１の側端により形成される傾斜面２３６の下端は、周壁２２に一体的に成形されて接続されている。これらの傾斜面２３５、２３６はガイド面部を構成する。ガイド部２３は、ベースプレート２０に対する所定の位置、即ち、最終的に、タンクカバー５０がベースプレート２０に固定される位置（タンクカバー５０の下端縁が所定位置決め凸部２１３に当接する位置（以下「カバー固定位置」とする））へ近づくようにタンクカバー５０をガイドする。
【００３２】
ベースプレート２０の左右の下端部には、貫通口により構成されるビス孔２２２が形成されている。ビス孔２２２は、ベースプレート２０の左右の下端部の、前後方向における中央の位置と、前寄りの位置との２箇所に形成されており、左右で計４箇所形成されている。
【００３３】
図４に示すように、タンクカバー５０は、前述のように上部カバー部５１と、下部カバー部５２とが一体的に成形されて形成されている。図４は、本実施形態に係る便器洗浄装置１００のタンクカバー５０を示す背面図である。上部カバー部５１には、タンクカバー５０の外部と内部とを連通する貫通孔として、多数のスリットを有する背面スリット部５１１と、吐水管取付穴４１ａ（図２参照）のみが形成されている。背面スリット部５１１の各スリットは、それぞれ極めて細いため、背面スリット部５１１を通して、後述の接続部材３８等にアクセスして、後述の接続部材３８等の位置調整を行うことはできない。また、吐水管取付穴４１ａには、手洗い吐水管４２が取り付けられるため、手洗い吐水管４２の取付の際に、吐水管取付穴４１ａを通して、後述の接続部材３８等にアクセスして、後述の接続部材３８等の位置調整を行うことはできない。即ち、タンクカバー５０は、ベースプレート２０に取付けられ固定されることにより、タンクカバー５０の外部からの、タンクカバー５０の内部の部材へのアクセスを不能とし、タンクカバー５０の内部の部材の位置調整を不能とする。
【００３４】
タンクカバー５０の上部カバー部５１の内部には、図４、図５に示すように、それぞれカバー側ガイド部を構成する水平方向ガイド部５３１と、規制部５３５とを有する。図５は、本実施形態に係る便器洗浄装置１００のタンクカバー５０の内部を示す下方斜視図である。水平方向ガイド部５３１は、底面視でＬ字状を有する一対の板状の部材により構成されており、左右方向におけるタンクカバー５０の中央を中心として、左右対称の位置関係で存在している。
【００３５】
より詳細には、水平方向ガイド部５３１は、前後方向ガイド板部５３２と、左右方向ガイド板部５３３と、を有している。前後方向ガイド板部５３２は、前後方向及び上下方向に平行な位置関係を有している。左右方向ガイド板部５３３は、左右方向及び上下方向に平行な位置関係を有している。前後方向ガイド板部５３２は、タンクカバー５０の背壁５０１及び上壁５０２と一体的に成形されることにより、タンクカバー５０の内部に設けられている。左右方向ガイド板部５３３は、タンクカバー５０の上壁５０２と一体的に成形されることにより、タンクカバー５０の内部に設けられている。一対の水平方向ガイド部５３１の左右方向ガイド板部５３３は、面一の位置関係を有している。一対の水平方向ガイド部５３１の左右方向ガイド板部５３３の下端縁は、図４に示すように、左右方向におけるタンクカバー５０の中央に近づくにつれて上方向に向かって傾斜する傾斜面５３４を有している。傾斜面５３４には、後述の導水管支持部材３４の側壁上方突出部３６５が当接可能であり、側壁上方突出部３６５は、傾斜面５３４に当接した状態で、傾斜面５３４に沿って移動可能である。即ち、水平方向ガイド部５３１は、タンクカバー５０に対して導水管支持部材３４を位置決めするとともに、導水管支持部材３４に支持された接続部材３８をタンクカバー５０に対して水平方向における所定位置にガイドする。
【００３６】
ガイド部２３によりタンクカバー５０がガイドされ始めた後に、タンク側被ガイド部としての側壁上方突出部３６５がカバー側ガイド部としての水平方向ガイド部５３１、規制部５３５にガイドされ始める位置関係をガイド部２３は有する。
【００３７】
具体的には、上下方向において、ベースプレート２０のガイド部２３の上端から、後述する支持部材支持部３６１の上端（側壁上方突出部３６５の上端）までの高さは、タンクカバー５０の下端からタンクカバー５０の水平方向ガイド部５３１の最下端（水平方向ガイド部５３１の左右方向ガイド板部５３３の下端縁の最下端）までの高さよりも短く、且つ、ベースプレート２０の底板部２１の下端面（所定位置決め凸部２１３の上面）から、後述する接続部材３８のバネ３９５に外部から力が作用していないときの接続部３８１の上端までの高さは、タンクカバー５０の下端から、タンクカバー５０の規制部５３５の接続部当接部板部５３６の下端面の、弧状の凹部を形成している部分の最上端までの高さよりも長い。
【００３８】
規制部５３５は、接続部当接部板部５３６と、接続部前後方向固定部５３８とを有している。接続部当接部板部５３６は、左右方向及び上下方向に平行な位置関係を有する一枚の板状を有しており、接続部当接部板部５３６の下端部は、上に凸を描く弧状の凹部５３７が形成されている。凹部５３７には、接続部材３８の接続部３８１の上端が当接可能である。接続部前後方向固定部５３８は、前後方向及び上下方向に平行な位置関係を有する一対の板状を有しており、左右方向におけるタンクカバー５０の中央を中心として、左右対称の位置関係で存在している。一対の接続部前後方向固定部５３８の下端部の後端部は、下方に突出する凸部５３９をそれぞれ有している。一対の凸部５３９の前方に、接続部材３８の接続部３８１の上端が、凸部５３９及び接続部前後方向固定部５３８から離間し且つ接続部当接部板部５３６の下端部に当接した状態で配置される。即ち、規制部５３５は、接続部３８１の上方から接続部３８１の位置を規制する。
【００３９】
図２に示すように、タンクカバー５０の手洗い部４０には、手洗い吐水管４２を取付けるため吐水管取付穴４１ａが形成されている。吐水管取付穴４１ａは開口が略円形状を有している。吐水管取付穴４１ａを形成しているタンクカバー５０の手洗い部４０の部分は、取付部の周囲部を構成する。また、タンクカバー５０の左右の下端部には、貫通口により構成されるビス孔５２２が形成されている。ビス孔５２２は、タンクカバー５０の左右の下端部の、前後方向における中央の位置と、前寄りの位置との２箇所にそれぞれ形成されており、計４箇所形成されている。
【００４０】
図９に示すように、タンク本体３１の後部の上部であって、左右方向における中央部は、導水管支持部材３４を支持するための後部支持部３１１を有している。図９は、本実施形態に係る便器洗浄装置１００の導水管支持部材３４が洗浄水タンク３０のタンク本体３１に固定されている様子を示す斜視図である。図９においては、説明の便宜上、タンク本体３１及び導水管支持部材３４のみを図示し、他の部材の図示を省略している。後部支持部３１１は、タンク本体３１の内方（前方）へ窪んで形成されている後部凹部３１４に対して、一段後方に下がった後退部３１２を有しており、後退部３１２の上端縁は、後方へ突出し上端縁に沿って左右方向に延びる係合突出部３１３を有している。後退部３１２には、導水管支持部材３４が係合することにより、導水管支持部材３４はタンク本体３１に支持される。
【００４１】
図６等に示すように、タンク側被ガイド部としての導水管支持部材３４は、挟持部３４１と、延出部３５１と、支持部材支持部３６１とを有している。図６は、本実施形態に係る便器洗浄装置１００の導水管支持部材３４を示す斜視図である。挟持部３４１は、図９〜図１１に示すように、略平板部３４２と、波状板部３４６とを有している。略平板部３４２は、下方へ延びており、前面には、図１１に示すように、一対のリブ３４３が設けられている。図１０は、本実施形態に係る便器洗浄装置１００の導水管支持部材３４の、挟持部３４１を示す後方斜視図である。図１１は、本実施形態に係る便器洗浄装置１００の導水管支持部材３４の、挟持部３４１を示す前方斜視図である。リブ３４３は、側方視で三角形状を有している。リブ３４３の前後方向における幅は、上方にゆくにつれて大きくなる。後面には、図１０に示すように、僅かに後面から後方へ突出し上下方向に延びる線状凸部３４４が設けられている。線状凸部３４４は、略平板部３４２の左右方向における端縁近傍の位置において、上下方向に延びている。
【００４２】
波状板部３４６は、側方視で波状を有する板状を有している。具体的には、波状板部３４６は、図１０に示すように、波状板部３４６の上端から、先ず後方へ突出した後に下方且つ僅かに前方へ向って延びている。そして前方へ折れ曲がり、僅かに前方へ延びている。この部分により段部３４７が形成されており、この段部３４７には、タンク本体３１の係合突出部３１３（図９参照）に係合可能である。そして、波状板部３４６は、下方へ折れ曲がり、僅かに略平板部３４２に近づき、その後、後方へ湾曲して、波状板部３４６の下端部へ至る。上記構成の略平板部３４２と、波状板部３４６とによって、後退部３１２が挟まれた状態で、前述のように波状板部３４６がタンク本体３１の係合突出部３１３に係合して、導水管支持部材３４は、タンク本体３１から容易に外れないように取付けられ、タンク本体３１に固定可能である。また、波状板部３４６を後方へ引き、タンク本体３１の係合突出部３１３への波状板部３４６の係合を解除することにより、導水管支持部材３４をタンク本体３１から取外すことが可能である。
【００４３】
延出部３５１は、略四角柱を半割したような形状を有して、上下方向に延びている。延出部３５１の下端部は、挟持部３４１に一体的に成形されることにより接続されている。延出部３５１の上端部は、支持部材支持部３６１に一体的に成形されることにより接続されている。延出部３５１の側壁により囲まれる空間には、図８等に示すように、手洗い吐水管４２から吐出される手洗い水を手洗い吐水管４２に供給するための手洗い側給水管３３を収容可能である。図８は、本実施形態に係る便器洗浄装置１００の導水管支持部材３４に接続部材３８が支持されている様子を示す斜視図である。
【００４４】
図８等に示すように、支持部材支持部３６１は、隔壁部３６２と、中壁３６３と、接続部材案内部３６４と、側壁上方突出部３６５と、を有している。隔壁部３６２は、手洗い側給水管３３を収容可能な、延出部３５１の側壁により囲まれる空間の上端部形成する壁部により構成されている。隔壁部３６２の中央部には、隔壁部３６２を上下方向へ貫通する切り欠き３６６が形成されている。また、中壁３６３は、隔壁部３６２の前後方向中央位置から上方向へ延びている一対の壁部により構成されている。中壁３６３は、上下方向及び左右方向に平行な位置関係を有しており、上下方向に細長い長方形状を有している。一対の中壁３６３の互いに対向する側部の端縁には、接続部材案内部３６４がそれぞれ設けられている。接続部材案内部３６４は、あたかも円筒を軸方向に沿って割ったような形状を有しており、平面視では、弧状を有している。この一対の接続部材案内部３６４によって、軸心が上下方向に指向する仮想的な円柱状の空間が形成されている。この空間には、接続部材３８の部分であって、バネ３９５の下端よりも上側の部分が収容され、接続部材案内部３６４は、接続部材３８のこの部分を、接続部材案内部３６４に対して、上下方向に摺動可能に支持する。側壁上方突出部３６５は、一対の板状を有しており、中壁３６３の上端部の左右方向における両端部から、それぞれ上方へ延びており、吐水部としての手洗い吐水管４２と、手洗い側給水管３３が接続された接続部材３８の接続部３８１との接続位置まで延びている。
【００４５】
図７、図８に示すように、接続部材３８は、接続部３８１と、導水部３８４と、弾性部材としてのバネ３９５とを有している。図７は、本実施形態に係る便器洗浄装置１００の接続部材３８を示す側面図である。接続部３８１は、後端部が閉塞された円筒形状を有しており、接続部３８１の軸心は、前後方向へ指向する位置関係を接続部３８１は有している。開口する接続部３８１の前端部の開口の周囲は、フランジ部３８２を有している。
【００４６】
導水部３８４は、上端及び下端がそれぞれ開口する略円筒形状を有している。導水部３８４の軸心は、上下方向に指向する位置関係を、導水部３８４は有している。導水部３８４の上端部は、接続部３８１の後部の下部に一体的に成形されることにより接続されている。これにより、導水部３８４の内部の空間と、接続部３８１の内部の空間とは、連通している。導水部３８４の左右の側面には、接続部３８１から導水部３８４の下部に至るまで延びるリブ３８５がそれぞれ設けられている。また、導水部３８４の上部には、上下に２重の二重フランジ部３８６を有している。二重フランジ部３８６は、導水部３８４の上端部よりも少し下の部分に設けられている。二重フランジ部３８６は、一対の接続部材案内部３６４（図８参照）に対して、上下方向に摺動可能である。
【００４７】
また、導水部３８４の前面及び後面には、バネガイド３８７が設けられている。バネガイド３８７は、二重フランジ部３８６から導水部３８４の中部に至るまで延びている。バネガイド３８７の下端部は、導水部３８４の半径方向外方へ突出するフック部３８８を有している。図７、図８に示すように、フック部３８８と、二重フランジ部３８６と間には、弾性部材としてのバネ３９５が存在している。バネ３９５の上端部は、二重フランジ部３８６に当接している。バネ３９５の下端部は、フック部３８８に当接している。また、バネ３９５の下端部は、図８に示すように、接続部材３８が支持部材支持部３６１に支持されているときには、支持部材支持部３６１の隔壁部３６２に当接する。
【００４８】
接続部３８１がタンクカバー５０の規制部５３５の接続部当接部板部５３６に当接することにより、弾性部材としてのバネ３９５が弾性変形して、接続部材案内部３６４に対して接続部材３８が上下方向に摺動することにより、接続部３８１は、上下方向において導水管支持部材３４に対する位置を調整可能である。バネ３９５が弾性変形することによる、接続部３８１を位置調整可能な範囲は、製品のばらつきを吸収できる範囲に設定される。二重フランジ部３８６及びバネ３９５は、吐水部としての手洗い吐水管４２に水を導水する導水部材としての導水部３８４を支持する支持部材を構成する。
【００４９】
以上のように、タンクカバー５０及び接続部材３８は、接続部３８１の位置をタンクカバー５０に対する所定の位置に調整する調整機構を備える。調整機構は、水平方向ガイド部５３１と、規制部５３５と、バネ３９５と、ガイド部２３と、を有している。
【００５０】
図７に示すように、導水部３８４の下部には下部フランジ３９０が設けられている。導水部３８４の下部であって下部フランジ３９０よりも下方の部分には、手洗い側給水管３３の上端部が容易に導水部３８４の下部から抜けないようにするための抜け止め３９１が形成されている。手洗い側給水管３３には、手洗い側給水管３３の上端部が下部フランジ３９０に至るまで、導水部３８４の下部が差し込まれる。従って、導水管支持部材３４は、手洗い吐水管４２に水を導く導水管としての導水部３８４や手洗い側給水管３３を支持する。そして、手洗い側給水管３３が接続された接続部材３８の導水部３８４が、導水管支持部材３４に対して着脱自在であることから、導水部３８４に接続され吐水部に水を導く導水管としての手洗い側給水管３３についても、導水管支持部材３４に対して着脱自在である。即ち、導水管支持部材３４は、洗浄水タンク３０のタンク本体３１に固定されているため、接続部材３８の導水部３８４や手洗い側給水管３３は、タンク本体３１に対して着脱自在である。
【００５１】
手洗い吐水管４２は、図１７等に示すように、後方に延びる吐水管導水部４２１を有している。図１７は、本実施形態に係る便器洗浄装置１００の吐水管固定部４３に手洗い吐水管４２の吐水管導水部４２１が挿入された様子を示す拡大断面図である。吐水管導水部４２１は、略円筒状を有している。吐水管導水部４２１は、固定部材としての吐水管固定部４３に挿入されて吐水管固定部４３を貫通し、吐水管導水部４２１の後端部は、接続部３８１の内部に位置している。従って、接続部３８１は、パッキン（図示せず）が介在した状態で、吐水部としての吐水管４２と接続されており、接続部３８１の内部は、吐水管導水部４２１の内部に直接接続されて連通している。従って、吐水管導水部４２１は、タンクカバー５０の内部の導水管としての手洗い側給水管３３（図８等参照）と、接続部材３８を通して接続されている。図１２に示すように、手洗い吐水管４２の下部には、貫通孔４２２が形成されている。貫通孔４２２から、吐水管クリップ４４を、手洗い吐水管４２の内部へ挿入可能である。図１２は、本実施形態に係る便器洗浄装置１００の手洗い吐水管４２と導水管支持部材３４との位置関係を示す正面図である。図１２においては、説明の便宜上、タンクカバー５０の図示を省略している。
【００５２】
図１４、図１５に示すように、固定部材としての吐水管固定部４３は、固定部筒状部４３１と、前側板状部４３２と、後側板状部４３３と、を有している。図１４は、本実施形態に係る便器洗浄装置１００の吐水管固定部４３を示す下方斜視図である。図１５は、本実施形態に係る便器洗浄装置１００の吐水管固定部４３を示す側方斜視図である。吐水管固定部４３は、導水の機能を有しておらず、手洗い吐水管４２をタンクカバー５０に固定するためのものである。手洗い側給水管３３からの手洗い水は、接続部材３８を介して、吐水管固定部４３を介さずに、手洗い吐水管４２へ供給される。
【００５３】
固定部筒状部４３１は、略筒状を有しており、固定部筒状部４３１の内周面により形成される空間は、貫通孔を構成する。前側板状部４３２は、固定部筒状部４３１の前端部に、一体的に成形されることにより接続されており、固定部筒状部４３１の周囲から固定部筒状部４３１の半径方向外方へ突出するフランジ形状を有している。後側板状部４３３は、固定部筒状部４３１の後端部近傍に、一体的に成形されることにより接続されており、固定部筒状部４３１の周囲から固定部筒状部４３１の半径方向外方へ突出するフランジ形状を有している。
【００５４】
前側板状部４３２は、正面視で略長方形状の板状を有しており、上側に位置する長辺の中央には、上方へ湾曲して突出する湾曲凸部４３２１を有している。湾曲凸部４３２１は、前側板状部４３２から後方へ、前側板状部４３２と後側板状部４３３との略中間の位置まで突出して延びて形成されている。湾曲凸部４３２１の部分には、図１４に示すように、固定部筒状部４３１の内周面が略直方体形状に固定部筒状部４３１の外方へ向って窪んだ直方体凹部４３２２が形成されている。前側板状部４３２の下端部（図１５に示す前側板状部４３２の下端部）は、前方の上方から後方の下方へカットしたような斜面、即ち、斜面の法線が前方の下方から後方の上方へ指向する斜面を有している。
【００５５】
前側板状部４３２の背面には、前側クリップ位置決め凸部４３２３が設けられている。前側クリップ位置決め凸部４３２３は、前側板状部４３２の背面の上部及び下部であって、固定部筒状部４３１よりも右側及び左側にそれぞれ１つずつ計４つ設けられている。前側クリップ位置決め凸部４３２３は、それぞれ左右方向に延びる直線状を有しており、前側板状部４３２の背面から僅かに後方へ突出している。前側板状部４３２の背面からの４つの前側クリップ位置決め凸部４３２３の突出量は、全て同一である。
【００５６】
後側板状部４３３は、正面視で略長方形状の板状を有している。後側板状部４３３の前面には、後側クリップ位置決め凸部４３３１が設けられている。後側クリップ位置決め凸部４３３１は、後側板状部４３３の前面における固定部筒状部４３１の周囲であって、固定部筒状部４３１よりも右側に３つ、左側に３つ、下側に１つ、計７つ設けられている。後側クリップ位置決め凸部４３３１は、それぞれ左右方向に延びる直線状を有しており、後側板状部４３３の前面から前方へ突出している。更に、固定部筒状部４３１よりも下側に１つ設けられた後側クリップ位置決め凸部４３３１の、左右方向における中央位置には、後側クリップ位置決め凸部４３３１から固定部筒状部４３１へ向って延びる中央方向延出凸部４３３２が設けられている。後側板状部４３３の前面からの後側クリップ位置決め凸部４３３１の突出量は、上方へゆくほど多くなる。
【００５７】
固定部筒状部４３１は、クリップ係合角部４３１１と、後側フランジ部４３１２と、後端部フック部４３１３と、位置決め凸部４３１４と、を有している。クリップ係合角部４３１１は、前後方向における前側板状部４３２と後側板状部４３３との間に位置する固定部筒状部４３１の周面の上部の左右に１つずつ、計一対設けられており、上下方向に延びる面と左右方向に延びる面とが交差することにより形成される角状部分により構成されている。後側フランジ部４３１２は、後側板状部４３３のすぐ後方の固定部筒状部４３１から、固定部筒状部４３１の半径方向外方へ僅かに突出するフランジ状を有している。後端部フック部４３１３は、固定部筒状部４３１の後端部において、左右に１つずつ存在しており、前方へ向うにつれて固定部筒状部４３１の半径方向における厚さが厚くなる楔形状を有している。位置決め凸部４３１４は、固定部筒状部４３１の後端部から下方へ延びる凸部により構成されている。位置決め凸部４３１４は、吐水管固定部４３が吐水管取付穴４１ａに取付けられるときに、吐水管取付穴４１ａにおいて吐水管固定部４３が回転しないように、位置決め凸部４３１４は、吐水管取付穴４１ａの下部に形成された係合凹部４１ｂに係合する。
【００５８】
図１３に示すように、吐水部固定用係合部材としての吐水管クリップ４４は、下端板状部４４１と、基部板状部４４４と、Ｕ字状係合部４４６と、を有している。図１３は、本実施形態に係る便器洗浄装置１００の吐水管クリップ４４を示す正面図である。下端板状部４４１は、手洗い吐水管４２の後部の下部に形成された貫通孔４２２（図１２等参照）に一致する略長方形の板状を有している。後述のように、Ｕ字状係合部４４６を貫通孔４２２に挿入し、Ｕ字状係合部４４６を固定部筒状部４３１に係合させたときに、貫通孔４２２を塞ぐように構成されている。下端板状部４４１の中央部には、長方形状の開口を有する貫通孔４４２が形成されている。基部板状部４４４は、下端板状部４４１に対して交差する位置関係を有する板状を有している。基部板状部４４４の下端部は、下端板状部４４１の上面に一体的に成形されることにより接続されている。基部板状部４４４の上端部は、Ｕ字状係合部４４６の中央部に一体的に成形されることにより接続されている。
【００５９】
Ｕ字状係合部４４６は、前後方向に所定の幅を有する板状のＵ字状を有している。Ｕ字状係合部４４６の一対の先端部には、一方の当該先端部から他方の当該先端部に近づく方向へ突出する固定用突起４４７がそれぞれ設けられている。固定用突起４４７は、吐水管固定部４３のクリップ係合角部４３１１に係合する。またＵ字状係合部４４６の中央部には、位置合わせ凸部４４８が設けられている。位置合わせ凸部４４８は、基部板状部４４４から離間する方向である上方へ向って、Ｕ字状係合部４４６の中央部から略直方体形状で突出しており、固定部筒状部４３１に当接して、固定部筒状部４３１に対する吐水管クリップ４４の位置決めが行われる。
【００６０】
以上の構成を備える本実施形態に係る便器洗浄装置１００の組み立てについて、即ち、タンクカバー５０を、洗浄水タンク３０に被せ、タンクカバー５０に吐水部を取付ける工程を有する施工方法について説明する。先ず、図２に示すように、便器本体１１の後方の上面に取り付けられたベースプレート２０に、洗浄水タンク３０等を取り付けて固定する。次に、タンクカバー５０をベースプレート２０の上方から洗浄水タンク３０を覆うようにして、洗浄水タンク３０に被せてゆく。この際、タンクカバー５０の下部の開口の前部の２つの角部の内面を、ベースプレート２０の前部に位置している２つのガイド部２３のガイド面部（傾斜面２３５、２３６）に当接させ、摺動させる。また、タンクカバー５０の左右の側部の内面を、ベースプレート２０の前後方向における中ほどに位置している２つのガイド部２３のガイド面部に当接させ、摺動させる。これにより、ガイド面部によってタンクカバー５０の下部がガイドされ、徐々にタンクカバー５０は、カバー固定位置へ近づくようにガイドされる。
【００６１】
このように、タンクカバー５０がカバー固定位置へガイドされ始めると、支持部材支持部３６１の側壁上方突出部３６５の上端部は、タンクカバー５０の内部の水平方向ガイド部５３１の左右方向ガイド板部５３３の傾斜面に当接して摺動する。この摺動により、一対の側壁上方突出部３６５の上端部は、それぞれ左右方向ガイド板部５３３と、規制部５３５の接続部当接部板部５３６と、の間の位置にガイドされる。
【００６２】
そして、接続部材３８の接続部３８１の上端部は、規制部５３５の接続部前後方向固定部５３８に当接するとともに、接続部当接部板部５３６の下端部の弧状の凹部５３７の部分に当接する。更に、タンクカバー５０は、更に下方へ移動させられて、カバー固定位置へ近づくようにガイドされる。このとき、接続部材３８の接続部３８１の上端部は、規制部５３５の接続部当接部板部５３６に当接しているため、接続部前後方向固定部５３８及び接続部当接部板部５３６によって下方へ押圧される。接続部材３８は、弾性部材としてのバネ３９５を有しているため、バネ３９５が圧縮される。そして、最終的に、カバー固定位置へ、タンクカバー５０が位置決めされたときに、接続部材３８の接続部３８１の開口は、正面視で吐水管取付穴４１ａに一致した位置関係となる。また、側方視で、ベースプレート２０のビス孔２２２と、タンクカバー５０のビス孔５２２とが一致した位置関係となる。
【００６３】
次に、図１６に示すように、タンクカバー５０の外部から、吐水管固定部４３の固定部筒状部４３１を、固定部筒状部４３１の後端部から（後端部フック部４３１３から）吐水管取付穴４１ａに挿入してゆき、後端部フック部４３１３を吐水管取付穴４１ａへ押し込み、吐水管取付穴４１ａの周囲の部分に係合させて固定する。図１６は、本実施形態に係る便器洗浄装置１００の吐水管固定部４３をタンクカバー５０に接続する様子を示す拡大断面図である。この状態では、固定部筒状部４３１の内周面により形成されている空間には、何も挿入されていないため、後端部フック部４３１３は、固定部筒状部４３１の半径方向内方へ移動しやすく、後端部フック部４３１３の、吐水管取付穴４１ａの周囲の部分への係合は、外れ易い状態にある。
【００６４】
次に、手洗い吐水管４２の吐水管導水部４２１を、タンクカバー５０の前方の外部から、吐水管固定部４３の固定部筒状部４３１に挿入し、固定部筒状部４３１により形成された貫通孔を貫通させ、吐水管導水部４２１を接続部材３８の接続部３８１に接続させる。これにより、図１７に示すように、固定部筒状部４３１の内周面により囲まれる空間に吐水管導水部４２１が充填されたような状態になる。これにより、図１８に示すように、後端部フック部４３１３は、固定部筒状部４３１の半径方向内方（図１８において矢印Ａで示す方向）へ移動しようとしても、すぐに吐水管導水部４２１の側面に当接するため、固定部筒状部４３１の半径方向内方へほとんど移動できなくなる。図１８は、本実施形態に係る便器洗浄装置１００の吐水管固定部４３に手洗い吐水管４２の吐水管導水部４２１が挿入された様子を示す要部拡大断面図である。
【００６５】
即ち、吐水管固定部４３に挿入された状態の手洗い吐水管４２の吐水管導水部４２１は、後端部フック部４３１３の、取付穴の周囲部（吐水管取付穴４１ａを形成しているタンクカバー５０の手洗い部４０の部分）への係合が外れる方向へ後端部フック部４３１３が移動することを阻害するように当接可能である。これにより、後端部フック部４３１３が吐水管取付穴４１ａの周囲の部分へ係合している状態が維持され、後端部フック部４３１３が吐水管取付穴４１ａの周囲の部分から、外れにくい状態が維持される。また、吐水管導水部４２１を接続部材３８の接続部３８１に接続させる際に、吐水管導水部４２１が押し込まれることにより接続部３８１が後方へ押圧されるが、このとき、接続部３８１の上端部は、接続部前後方向固定部５３８の凸部５３９に当接することにより、接続部３８１の後方への移動が規制される。
【００６６】
次に、吐水管クリップ４４を、手洗い吐水管４２の後部の下部に形成された貫通孔４２２に、Ｕ字状係合部４４６から挿入してゆく。そして、図１５に示す吐水管固定部４３に対して、図１５の下方から吐水管クリップ４４のＵ字状係合部４４６（図１３参照）を上方へ移動させてゆき、Ｕ字の開口が上方に向けて開口する位置関係で、Ｕ字の開口に、固定部筒状部４３１を相対的に挿入してゆく。この際、一対のＵ字状係合部４４６は、図１５に示す固定部筒状部４３１の手前側と奥側とにおいて、それぞれ前側板状部４３２の背面の前側クリップ位置決め凸部４３２３と、後側板状部４３３の前面の後側クリップ位置決め凸部４３３１との間に挿入される。そして、更にＵ字状係合部４４６を上方へ移動させてゆき、Ｕ字状係合部４４６の固定用突起４４７を、クリップ係合角部４３１１に係合させる。この係合は、タンクカバー５０の外部において行われる。これにより、吐水管クリップ４４は、吐水管固定部４３に固定され、また、吐水管クリップ４４の下端板状部４４１は、手洗い吐水管４２の後部の下部に形成された貫通孔４２２に係合し、手洗い吐水管４２は、タンクカバー５０から外れない状態とされる。
【００６７】
上記構成の実施形態による便器洗浄装置によれば、以下のような効果を得ることができる。
前述のように、便器洗浄装置１００は、便器本体１１と、便器本体１１の後方上面に取付けられるベースプレート２０と、ベースプレート２０に取付けられる洗浄水タンク３０と、洗浄水タンク３０を覆うタンクカバー５０と、を備える。タンクカバー５０は、上部と下部とに分かれておらず上下一体で構成され、ベースプレート２０は、タンクカバー５０をベースプレート２０に対する所定の位置（カバー固定位置）にガイドする少なくとも２つのガイド部２３を有する。
【００６８】
この構成により、タンクカバー５０をベースプレート２０の上方から洗浄水タンク３０を覆うようにして、洗浄水タンク３０に被せてゆく際に、タンクカバー５０をガイド部２３によって、高い精度で、カバー固定位置にガイドすることができる。このため、タンクカバー５０の内部の部材である接続部材３８に対して、高い精度でタンクカバー５０を位置決め可能とすることができる。また、ベースプレート２０に対してタンクカバー５０が斜めに固定されてしまうことを防止することができるため、ベースプレート２０に対してタンクカバー５０を固定するための、ベースプレート２０のビス孔２２２とタンクカバー５０のビス孔５２２とを高い精度で一致させることができ、ビスによるベースプレート２０に対するタンクカバー５０の固定を容易とすることができ、生産性を向上させることができる。また、ベースプレート２０とタンクカバー５０との位置ずれを抑制できるため、タンクカバー５０と他の部品との干渉、誤組みを防止することができ、品位向上を図ることができる。
【００６９】
また、ガイド部２３は、ベースプレート２０から上方へ立ち上がる周壁２２から突出する。この構成により、タンクカバー５０をベースプレート２０の上方から洗浄水タンク３０を覆うようにして、洗浄水タンク３０に被せてゆく際に、周壁２２の上端縁にタンクカバー５０の下端縁が到達する前に、ガイド部２３によってタンクカバー５０をガイドすることができる。これにより、高い精度で、周壁２２に対する所定の位置にタンクカバー５０を位置決めすることができる。
【００７０】
また、ガイド部２３は、周壁２２の内側から周壁２２の外側へ向う方向、且つ、下方へ延びるガイド面部（傾斜面２３５、２３６）を有する。この構成により、底板部２１に沿った方向における周壁２２の内側においてガイド部２３にガイドされ始めたタンクカバー５０を、周壁２２の外側までガイドすることができる。
【００７１】
また、ベースプレート２０は、長方形状を有する底板部２１を備え、ガイド部２３は、底板部２１の少なくとも２つの角部に存在する。より詳細には、ベースプレート２０は、前後方向に延びる一対の辺を有する長方形状を有する底板部２１を備える。ガイド部２３は、底板部２１の一対の辺の前端の両方の角部と、底板部２１の一対の辺のそれぞれの途中の部分と、に存在する。この構成により、ベースプレート２０の後方に壁等が存在する場合であっても、前方から容易にタンクカバー５０をガイド部２３にガイドさせることができる。
【００７２】
また、タンクカバー５０は、洗浄水タンク３０に接続されたタンク側被ガイド部としての導水管支持部材３４がガイドされるカバー側ガイド部としての水平方向ガイド部５３１及び規制部５３５をタンクカバー５０の内部に有する。ガイド部２３によりタンクカバー５０がガイドされ始めた後に、タンク側被ガイド部がカバー側ガイド部にガイドされ始める位置関係をガイド部は有する。
【００７３】
この構成により、タンクカバー５０をベースプレート２０の上方から洗浄水タンク３０を覆うようにして、洗浄水タンク３０に被せてゆく際に、ガイド部２３によりタンクカバー５０がガイドされ始めてから、タンク側被ガイド部（導水管支持部材３４）をカバー側ガイド部（水平方向ガイド部５３１、規制部５３５）にガイドさせることができる。このため、ガイド部２３により、ベースプレート２０に対するタンクカバー５０の位置決めがなされてゆく途中で、先ず、ベースプレート２０に対するタンクカバー５０のおおよその位置決めがなされた後で、タンク側被ガイド部（導水管支持部材３４）がカバー側ガイド部（水平方向ガイド部５３１、規制部５３５）にガイドされて、高い精度で、タンク側被ガイド部（導水管支持部材３４）をタンクカバー５０に対して位置決めすることができる。
【００７４】
また、ガイド部２３の上端からタンク側被ガイド部（導水管支持部材３４）の上端までの高さは、タンクカバー５０の下端からカバー側ガイド部（水平方向ガイド部５３１）までの高さよりも短い。
【００７５】
この構成により、タンクカバー５０をベースプレート２０の上方から洗浄水タンク３０を覆うようにして、洗浄水タンク３０に被せてゆく際に、ガイド部２３によりタンクカバー５０がガイドされ始めてから、タンク側被ガイド部をカバー側ガイド部にガイドさせる構成を容易に実現することができる。
【００７６】
また、便器洗浄装置１００は、便器本体１１と、便器本体１１の後方上面に取付けられるベースプレート２０と、ベースプレート２０に取付けられる洗浄水タンク３０と、手洗い部４０を備え、洗浄水タンク３０を覆うタンクカバー５０と、手洗い部４０に設けられる吐水部（手洗い吐水管４２）と、吐水部と吐水部へ水を導く導水管（手洗い側給水管３３）とを接続し、吐水部と接続される接続部３８１を有する接続部材３８と、を備える。タンクカバー５０は、上部と下部とに分かれておらず上下一体で構成され、タンクカバー５０及び接続部材３８は、接続部３８１の位置をタンクカバー５０に対する所定の位置に調整する調整機構（水平方向ガイド部５３１と、規制部５３５と、バネ３９５と、ガイド部２３）を備える。
【００７７】
この構成により、接続部３８１の位置をタンクカバー５０に対する所定の位置に調整できるため、タンクカバー５０をベースプレート２０の上方から洗浄水タンク３０を覆うようにして、洗浄水タンク３０に被せてゆく際に、高い精度で、接続部３８１をタンクカバー５０に対する所定の位置に位置決めできる。この結果、吐水部を、タンクカバー５０の外部から、容易に接続部３８１に接続することができる。この結果、ベースプレート２０に取付けられ固定されることにより、タンクカバー５０の外部からの、タンクカバー５０の内部の部材の位置調整を不能とする形状を有するタンクカバー５０を用いることができ、タンクカバー５０のベースプレート２０に対する着脱を容易とすることができる。また、従来のように、背面カバー体を取り外す手間を省くことができ、また、意匠性を向上させることができる。
【００７８】
また、接続部材３８は、調整機構を構成する弾性部材としてのバネ３９５を備え、接続部３８１がタンクカバー５０に当接することによりバネ３９５が弾性変形して、接続部３８１の位置を調整可能である。この構成により、接続部３８１がタンクカバー５０に当接することにより弾性部材としてのバネ３９５が弾性変形して、接続部３８１をタンクカバー５０に対する所定の位置、即ち、手洗い吐水管４２を接続部３８１に接続可能な位置に、容易に位置決めすることができる。
【００７９】
また、タンクカバー５０は、接続部３８１の上方から接続部３８１の位置を規制して調整機構を構成する規制部５３５をタンクカバー５０の内部に有する。この構成により、上下方向において接続部３８１を、タンクカバー５０に対する所定の位置、即ち、吐水部としての手洗い吐水管４２を接続部３８１に接続可能な位置に、容易に位置決めすることができる。
【００８０】
また、タンクカバー５０は、接続部材３８をタンクカバー５０に対して水平方向における所定位置にガイドして調整機構を構成する水平方向ガイド部５３１を備える。この構成により、水平方向において接続部３８１を、タンクカバー５０に対する所定の位置、即ち、吐水部を接続部３８１に接続可能な位置に、容易に位置決めすることができる。
【００８１】
また、接続部材３８は、吐水部としての手洗い吐水管４２に水を導水する導水部材としての導水部３８４と、導水部３８４を支持する支持部材としての二重フランジ部３８６及びバネ３９５と、を備える。この構成により、タンクカバー５０をベースプレート２０の上方から洗浄水タンク３０を覆うようにして、洗浄水タンク３０に被せたときに、接続部３８１を、タンクカバー５０に対する所定の位置、即ち、吐水部としての手洗い吐水管４２を接続部３８１に接続可能な位置に、容易に配置させることができる。
【００８２】
また、便器洗浄装置１００は、便器本体１１と、便器本体１１の後方上面に取付けられるベースプレート２０と、ベースプレート２０に取付けられる洗浄水タンク３０と、手洗い部４０を備え洗浄水タンク３０を覆うタンクカバー５０と、手洗い部４０に設けられる吐水部としての手洗い吐水管４２と、吐水部と吐水部に水を導く導水管としての手洗い側給水管３３とに接続され、前記導水管からの水を前記吐水部へ流通させる接続部材３８と、導水管としての手洗い側給水管３３及び前記接続部材３８を支持する導水管支持部材３４と、を備えている。タンクカバー５０は、上部と下部とに分かれておらず上下一体で構成され、導水管支持部材３４は、洗浄水タンク３０に着脱可能に取付けられる。
【００８３】
この構成により、手洗い吐水管４２と手洗い側給水管３３との接続部３８１をタンクカバー５０に対する所定の位置に保持することができる。このため、従来では、タンクカバーに設けられた吐水部としての手洗い吐水管へ手洗い水を供給するための導水管としての手洗い側給水管は、洗浄水タンクに接続される構成を有していたが、この接続を不要とし、連続した構成とすることができる。このため、タンクカバー５０の外部からの、タンクカバー５０の内部の部材（接続部材３８等）の位置調整を不能とするタンクカバー５０を洗浄水タンク３０から取外す際に、取外しを容易とすることができる。また、タンクカバー５０をベースプレート２０の上方から洗浄水タンク３０を覆うようにして、洗浄水タンク３０に被せてゆく際に、高い精度で、接続部３８１をタンクカバー５０に対する所定の位置に位置決めできる。この結果、吐水部としての手洗い吐水管４２を、タンクカバー５０の外部から、容易に接続部３８１に接続することができる。また、導水管支持部材３４は、洗浄水タンク３０に着脱可能であるため、便器洗浄装置が手洗い部を有していない場合であっても、洗浄水タンク３０を共通化して用いることができる。
【００８４】
また、導水管としての手洗い側給水管３３は、一端部が洗浄水タンク３０に接続され、他端部が接続部材３８に接続される継ぎ目のない連続した１本の管部材により構成される。この構成により、手洗い側給水管３３の構成を簡単にすることができる。
【００８５】
また、導水管としての手洗い側給水管３３及び接続部材３８は、導水管支持部材３４に対して着脱自在である。この構成により、洗浄水タンク３０と導水管としての手洗い側給水管３３との接続部を設けずに済み、導水管としての手洗い側給水管３３を連続した構成とし、必要に応じて、手洗い側給水管３３及び接続部材３８を導水管支持部材３４から取外すことができる。従って、適宜、手洗い側給水管３３及び接続部材３８を導水管支持部材３４に対して着脱して、便器洗浄装置１００の組み立ての工程の自由度を高めることができる。
【００８６】
また、便器洗浄装置の施工方法では、吐水部としての手洗い吐水管４２が設けられた手洗い部４０を備え、便器本体１１の後方上面に取付けられるベースプレート２０に取付けられる洗浄水タンク３０を覆うタンクカバー５０を、洗浄水タンク３０に被せる工程と、タンクカバー５０の外部から、タンクカバー５０の手洗い部４０に吐水部としての手洗い吐水管４２を取付ける工程を備える。
タンクカバー５０として、上部と下部とに分かれておらず上下一体で構成された前記タンクカバー５０を用い、洗浄水タンク３０にタンクカバー５０を被せる工程の前に、洗浄水タンク３０に、吐水部としての手洗い吐水管４２と吐水部に水を導く導水管としての手洗い側給水管３３とに接続された接続部材３８であって、手洗い側給水管３３からの水を吐水管４２へ流通させる接続部材３８と、吐水管４２と、を支持させた状態とする工程を有する。この構成により、便器洗浄装置１００の組み立てを容易とすることができる。
【００８７】
また、便器洗浄装置１００は、便器本体１１と、便器本体１１に接続される洗浄水タンク３０と、手洗い部４０を備え洗浄水タンク３０を覆うタンクカバー５０と、洗浄水タンク３０の外側から手洗い部４０に取付けられる吐水部としての手洗い吐水管４２と、を備えた便器洗浄装置１００であって、タンクカバー５０は、上部と下部とに分かれておらず上下一体で構成され、タンクカバー５０に形成された吐水管取付穴４１ａにタンクカバー５０の外部から固定されて、吐水部としての吐水管４２をタンクカバー５０に固定する固定部材としての吐水管固定部４３を備え、吐水管固定部４３には、手洗い吐水管４２の導水部（吐水管導水部４２１）がタンクカバー５０の外部から貫通する貫通孔が形成され、手洗い吐水管４２の吐水管導水部４２１は、貫通孔を貫通した状態で、タンクカバー５０の内部の導水管（手洗い側給水管３３）と接続される。
【００８８】
この構成により、固定部材としての吐水管固定部４３は導水の機能を有していないため、吐水管固定部４３と他の部材との接続部分においてシール性を考慮せずに済む。また、吐水管固定部４３に吐水部の導水部（吐水管導水部４２１）が挿入され、吐水管導水部４２１は、タンクカバー５０の内部の手洗い側給水管３３と接続されるため、吐水部の導水部（吐水管導水部４２１）をタンクカバー５０の内部の手洗い側給水管３３と接続するための、タンクカバー５０の背面の開口部を形成しなくて済む。この結果、タンクカバー５０として、ベースプレート２０に取付けられ固定されることにより、タンクカバー５０の外部からの、タンクカバー５０の内部の部材（接続部材３８等）の位置調整を不能とする形状を有するタンクカバー５０を用いることができ、タンクカバー５０の着脱を容易とすることができる。また、従来のように、背面カバー体を取り外す手間を省くことができ、また、意匠性を向上させることができる。
【００８９】
また、固定部材としての吐水管固定部４３は、吐水管固定部４３の貫通孔の周囲に形成され取付穴（吐水管取付穴４１ａ）の周囲部に係合可能なフック部４３１３を有し、貫通孔を貫通する吐水管導水部４２１は、吐水管取付穴４１ａの周囲部に係合しているフック部４３１３が吐水管取付穴４１ａの周囲部から外れることを阻害するように、フック部４３１３に当接可能である。この構成により、吐水管固定部４３をタンクカバー５０から外れにくくすることができ、これにより、吐水部をタンクカバー５０から外れにくくすることができる。
【００９０】
また、便器洗浄装置１００は、吐水部としての手洗い吐水管４２、及び、固定部材としての吐水管固定部４３に係合することにより、吐水管４２を吐水管固定部４３に固定する吐水部固定用係合部材としての吐水管クリップ４４を有する。この構成により、吐水管４２を吐水管固定部４３に対して容易に固定することができる。
【００９１】
また、吐水部固定用係合部材としての吐水管クリップ４４は、タンクカバー５０の外部において、手洗い吐水管４２及び吐水管固定部４３に係合する。この構成により、タンクカバー５０の外部において、容易に吐水管クリップ４４を手洗い吐水管４２及び吐水管固定部４３に係合させることができる。
【００９２】
本発明は上記実施形態に限定されるものではなく、本発明の目的を達成できる範囲での変形、改良等は本発明に含まれる。
【００９３】
例えば、便器洗浄装置の各部の構成は、本実施形態における各部の構成に限定されない。例えば、ガイド部２３はベースプレート２０に４つ設けられたが、この個数に限定されない。例えば、ガイド部は、底板部の少なくとも２つの角部に存在すればよい。また、接続部材３８は、弾性部材としてバネ３９５を有していたが、バネ３９５に限定されない。例えば、接続部材３８は、蛇腹や伸縮可能なロッドアンテナのようなもの等により構成されてもよい。
【００９４】
また、タンクカバー５０は、上部カバー部５１と下部カバー部５２とが一体的に成形されることにより形成され、タンクカバー５０の外部と内部とを連通する貫通孔として、多数のスリットを有する背面スリット部５１１と、吐水管取付穴４１ａのみが形成されていたがこの構成に限定されない。タンクカバーは、上部と下部とに分かれておらず上下一体で構成されていればよい。この構成により、本実施形態のように、タンクカバーがベースプレートに取付けられ固定されることにより、タンクカバーの外部からの、タンクカバーの内部の部材へのアクセスを不能とし、タンクカバーの内部の部材の位置調整を不能とする構成をタンクカバーが有している場合でも、前述した効果を得ることができる。
【００９５】
ここで、「ベースプレートに取付けられ固定されることにより、タンクカバーの外部からの、タンクカバーの内部の部材へのアクセスを不能とし、タンクカバーの内部の部材の位置調整を不能とする構成」とは、タンクカバーによって洗浄水タンクが覆われたときに、タンクカバーの外部からタンクカバーの内部の部材（接続部材３８等）に対してアクセスすることができず、この結果、タンクカバーの外部からタンクカバーの内部の部材の位置調整ができなくなることを意味する。従って、タンクカバーが開閉可能な蓋部材によって塞がれた開口を有しており、タンクカバーによって洗浄水タンクが覆われた後に、蓋部材を開くことにより内部の部材の位置調整ができる場合や、手や治具を挿入して内部の部材の位置調整ができる程度の貫通孔が、タンクカバーによって洗浄水タンクが覆われた後に、タンクカバーに開放された状態で形成されている場合には、タンクカバーが「ベースプレートに取付けられ固定されることにより、タンクカバーの外部からの、タンクカバーの内部の部材へのアクセスを不能とし、タンクカバーの内部の部材の位置調整を不能とする構成」を有していることに該当しない。
【００９６】
従って、例えば、タンクカバーが複数の部材を接合することにより構成されている場合であっても、当該複数の部材が接着剤等により互いに接合されていて、便器洗浄装置が組み立てられる際に、タンクカバーによって洗浄水タンクが覆われた後に、当該複数の部材のうちのいずれも取外すことができず、このため、タンクカバーの外部からタンクカバーの内部の部材に対してアクセスできず、タンクカバーの内部の部材の位置調整が不能となっていればよい。
【００９７】
また、タンクカバー５０及び接続部材３８は、接続部３８１の位置をタンクカバー５０に対する所定の位置に調整する調整機構を備え、調整機構は、水平方向ガイド部５３１と、規制部５３５と、バネ３９５と、ガイド部２３と、を有していたが、この構成に限定されない。タンクカバー又は接続部材が、接続部の位置をタンクカバーに対する所定の位置に調整する調整機構を備えている構成を有していてもよい。
【符号の説明】
【００９８】
２０…ベースプレート
２２…周壁
２３…ガイド部（調整機構）
３０…洗浄水タンク
３３…手洗い側給水管（導水管）
３４…導水管支持部材
３８…接続部材（内部の部材）
４０…手洗い部
４２…手洗い吐水管（吐水部）
４３…吐水管固定部（固定部材）
４４…吐水管クリップ（吐水部固定用係合部材）
５０…タンクカバー
１００…便器洗浄装置
２３５、２３６…傾斜面（ガイド面部）
３６５…側壁上方突出部（タンク側被ガイド部）
３８１…接続部
３８４…導水部（導水部材）
３８６…二重フランジ部（支持部材）
３９５…バネ（弾性部材、支持部材、調整機構）
４２１…吐水管導水部
５３１…水平方向ガイド部（カバー側ガイド部、調整機構）
５３５…規制部（カバー側ガイド部、調整機構）
４３１３…後端部フック部
４３１４…位置決め凸部
【図１】
0006552901.tif 000002
【図２】
0006552901.tif 000003
【図３】
0006552901.tif 000004
【図４】
0006552901.tif 000005
【図５】
0006552901.tif 000006
【図６】
0006552901.tif 000007
【図７】
0006552901.tif 000008
【図８】
0006552901.tif 000009
【図９】
0006552901.tif 000010
【図１０】
0006552901.tif 000011
【図１１】
0006552901.tif 000012
【図１２】
0006552901.tif 000013
【図１３】
0006552901.tif 000014
【図１４】
0006552901.tif 000015
【図１５】
0006552901.tif 000016
【図１６】
0006552901.tif 000017
【図１７】
0006552901.tif 000018
【図１８】
0006552901.tif 000019